(57)【要約】【課題】ユーザが一度音量を調整した後は、再び音量調整を行う必要のない機能を有するオーディオ装置を提供する。【解決手段】本体のボリュームツマミまたはリモコンの音量調整キーの操作に応答して電子ボリュームの音量調整位置が設定され、その音量調整位置による設定音量でスピーカから音声出力される。リモコンのエンターキーが長押しされた時に音量調整位置を示す音量情報がメモリに記憶される。リモコンのエンターキーが２度押しされると、メモリから音量情報が読み出される。当該音量情報による音量にて音声出力ができるように、電子ボリュームの音量調整位置が設定され、これにより、当該音量情報による音量にてスピーカから音声出力される。ユーザが一度音量を調整した後は、再び音量調整を行う必要がなくなる。【選択図】図４
2007110280.tif 000002
【特許請求の範囲】
【請求項１】
電子ボリュームによりゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、
本体のボリュームツマミまたはリモコンの音量調整キーの操作に応答して、前記電子ボリュームの音量調整位置を設定する電子ボリューム設定手段と、予め定めた本体キーまたはリモコンキーが長押しされた時に前記電子ボリューム設定手段で設定された音量調整位置を示す音量情報をメモリに記憶させる音量情報記憶手段と、前記音量情報が前記メモリに記憶された後、ユーザの個人情報が入力されたか否かを判定する個人情報入力判定手段と、前記個人情報が入力されたと判定された場合には、前記音量情報に対応させて前記個人情報を前記メモリに記憶させる個人情報記憶手段と、前記予め定めた本体キーまたはリモコンキーが所定回数押された時に前記メモリに個人情報が有るか否かを判定する個人情報有無判定手段と、前記個人情報が有ると判定された場合に当該ユーザによる個人情報のキー入力操作が有った時、前記メモリから個人情報に対応する音量情報を読み出す個人情報対応音量情報読出し手段と、前記個人情報が無いと判定された場合に前記メモリから音量情報を読み出す音量情報読出し手段と、前記音量情報による音量にて音声出力ができるように電子ボリュームの音量調整位置を設定制御する電子ボリューム設定制御手段とを有するシステムコントローラを備えたことを特徴とするオーディオ装置。
【請求項２】
電子ボリュームによりゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、
本体のボリュームツマミまたはリモコンの音量調整キーの操作に応答して、前記電子ボリュームの音量調整位置を設定する電子ボリューム設定手段と、予め定めたキーが特定操作された時に前記電子ボリューム設定手段で設定された音量調整位置を示す音量情報をメモリに記憶させる音量情報記憶手段と、前記予め定めたキーが前記特定操作以外の特定操作された時に前記メモリから音量情報を読み出す音量情報読出し手段と、前記音量情報による音量にて音声出力ができるように電子ボリュームの音量調整位置を設定制御する電子ボリューム設定制御手段とを有するシステムコントローラを備えたことを特徴とするオーディオ装置。
【請求項３】
前記予め定めたキーの特定操作とは、予め定めた本体キーまたはリモコンキーを長押しする操作であり、前記予め定めたキーの特定操作以外の特定操作とは、予め定めた本体キーまたはリモコンキーを所定回数押す操作であることを特徴とする請求項２に記載のオーディオ装置。
【請求項４】
前記システムコントローラは、前記音量情報が前記メモリに記憶された後、ユーザの個人情報が入力されたか否かを判定する個人情報入力判定手段と、前記個人情報が入力されたと判定された場合には、前記音量情報に対応させて前記個人情報を前記メモリに記憶させる個人情報記憶手段と、前記予め定めた本体キーまたはリモコンキーが所定回数押された時に、前記メモリに個人情報が有るか否かを判定する個人情報有無判定手段と、前記個人情報が有ると判定された場合に当該ユーザによる個人情報のキー入力操作が有った時、前記メモリから個人情報に対応する音量情報を読み出す個人情報対応音量情報読出し手段と、前記予め定めたキーが前記特定操作以外の特定操作された時に前記メモリから音量情報を読み出す音量情報読出し手段に代わり、前記個人情報が無いと判定された場合に前記メモリから音量情報を読み出す音量情報読出し手段とを有することを特徴とする請求項２に記載のオーディオ装置。
【発明の詳細な説明】
【技術分野】
【０００１】
本発明は、電子ボリュームによりゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置に関し、特に、スピーカから出力する音量を調整するための電子ボリュームに対する音量調整位置の設定処理に関する。
【背景技術】
【０００２】
映像音声データを記録する記録媒体として、従来から知られている磁気テープであるビデオテープや、近年普及してきているＤＶＤ（デジタル・バーサタイル・ディスク）などがある。ビデオテープは、ビデオカセットレコーダなどの磁気テープ記録再生装置により映像音声データが記録／再生され、ＤＶＤは、ＤＶＤレコーダなどの光ディスク記録再生装置により映像音声データが記録／再生される。
【０００３】
ところで、ビデオテープやＤＶＤに映画の映像音声データが記録されている場合に、その映画を楽しむためにホームシアターモデルを構成すれば、映画館に近い環境で映画を視聴することが可能になる。ホームシアターモデルを構成する場合、映像を表示するディスプレイ装置は大画面が好ましく、音声は迫力のある出力を得るため、低音から高音までの周波数帯域が広い音声を出力するオーディオ装置が用いられることが多い。このようなホームシアターモデルを構成する場合に、特に重要なのは音響効果が映画館での音響効果に近いものになればよいので、オーディオ装置を磁気テープ記録再生装置や光ディスク記録再生装置に接続してオーディオ装置のスピーカから音声を出力させている。
【０００４】
従来からオーディオ装置は、テレビ受信機からのＴＶ音声信号、ＦＭラジオからのＦＭ音声信号、光ディスク再生装置や光ディスク記録再生装置からのディスク再生音声信号、磁気テープ記録再生装置からのテープ再生音声信号などを入力して、これらのうちの何れかを選択出力する音声入力切換回路と、この音声入力切換回路で選択された音声信号を所定の処理により増幅するプリアンプと、このプリアンプからの音声信号を電力増幅してスピーカに供給するメインアンプと、装置の動作状態や操作内容などを表示する表示部と、装置の各構成要素を制御するシステムコントローラと、このシステムコントローラの動作に必要な情報を記憶するメモリと、リモコンからの赤外線操作信号を受光して電気信号に変換して操作信号をシステムコントローラに与える受光部と、システムコントローラに対して各種操作信号を与える複数の操作キーや電子ボリュームのボリュームツマミなどが設けられた操作パネルとを備えている。
【０００５】
プリアンプは、音声入力切換回路から出力された音声信号の周波数特性を補正するイコライザ回路と、スピーカから出力される音声の音量を調整するための電子ボリュームと、この電子ボリュームで調整された音量を示す音声信号に対して音質の調整を行う音質調整回路と、この音質調整回路で調整された音声信号を増幅してメインアンプに供給する増幅回路とから構成されている。
【特許文献１】特開２００２−２４６９２７号公報
【特許文献２】特開２００２−２４７４７７号公報
【特許文献３】特開２００３−１８８６８７号公報
【特許文献４】特開２００５−１３６８７１号公報
【発明の開示】
【発明が解決しようとする課題】
【０００６】
このような構成を有する従来のオーディオ装置において、電子ボリュームを調整してスピーカから出力される音声の音量を調整する場合に、オーディオ装置の操作パネルに設けられているボリュームツマミを回して音量を調整したり、リモコンの音量調整キーを操作して音量を調整したりして行っているが、あるユーザが映画などの視聴が終わった後、他のユーザがオーディオ装置を使用する場合、音量を変えることがある。このような場合に、前記あるユーザが再びオーディオ装置を使用すると、以前とは異なった音量になり、再度、ボリュームツマミを回したり、リモコンの音量調整キーを操作したりして、音量を調整する必要があり、非常に不便であると言う課題が生じる。また、前記他のユーザも、再びオーディオ装置を使用して以前と同じ音量で聴きたい場合であれば、同様に、ボリュームツマミを回して音量を調整したり、リモコンの音量調整キーを操作したりして、音量を調整する必要があり、非常に不便であると言う課題が生じる。
【０００７】
なお、特許文献１の従来技術は、オーディオ・ビジュアル機器（ＡＶ機器）の選局方法であって、オーディオ装置においてユーザが希望する音量に調整して設定する処理に関するものではない。特許文献２の従来技術は、オーディオ・ビジュアル機器（ＡＶ機器）の省エネルギー化を図るもので、蓋を閉じて表示部を覆うと、自動的に表示部がオフするようにして、無駄な電力消費を避けるようにしているものであり、この従来技術も、オーディオ装置においてユーザが希望する音量に調整して設定する処理に関するものではない。
【０００８】
また、特許文献３の従来技術は、車載映像音響機器であって、放送局の周波数をオートプリセットする場合、簡易な操作でオートプリセットできるようにしたものであって、この従来技術も、オーディオ装置においてユーザが希望する音量に調整して設定する処理に関するものではない。特許文献４の従来技術は、音声信号によりペアリング情報を送受信することを実現した電子機器および同機器のペアリング処理方法であり、この従来技術も、オーディオ装置においてユーザが希望する音量に調整して設定する処理に関するものではない。
【０００９】
本発明は、上記のような課題を解決するためになされたもので、ユーザが一度音量を調整した後は、再び音量調整を行う必要のない機能を有するオーディオ装置を提供することを目的とする。
【課題を解決するための手段】
【００１０】
上記目的を達成するために、請求項１の発明は、電子ボリュームによりゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、本体のボリュームツマミまたはリモコンの音量調整キーの操作に応答して、前記電子ボリュームの音量調整位置を設定する電子ボリューム設定手段と、予め定めた本体キーまたはリモコンキーが長押しされた時に前記電子ボリューム設定手段で設定された音量調整位置を示す音量情報をメモリに記憶させる音量情報記憶手段と、前記音量情報が前記メモリに記憶された後、ユーザの個人情報が入力されたか否かを判定する個人情報入力判定手段と、前記個人情報が入力されたと判定された場合には、前記音量情報に対応させて前記個人情報を前記メモリに記憶させる個人情報記憶手段と、前記予め定めた本体キーまたはリモコンキーが所定回数押された時に前記メモリに個人情報が有るか否かを判定する個人情報有無判定手段と、前記個人情報が有ると判定された場合に当該ユーザによる個人情報のキー入力操作が有った時、前記メモリから個人情報に対応する音量情報を読み出す個人情報対応音量情報読出し手段と、前記個人情報が無いと判定された場合に前記メモリから音量情報を読み出す音量情報読出し手段と、前記音量情報による音量にて音声出力ができるように電子ボリュームの音量調整位置を設定制御する電子ボリューム設定制御手段とを有するシステムコントローラを備えたことを特徴とするオーディオ装置を提供する。
【００１１】
この構成において、電子ボリューム設定手段は、本体のボリュームツマミまたはリモコンの音量調整キーの操作に応答して、電子ボリュームの音量調整位置が電子ボリューム設定手段により設定され、その音量調整位置による設定音量でスピーカから音声出力される。そして、本体のボリュームツマミまたはリモコンの音量調整キーが操作されて好みの音量に調整されると、この調整された音量にてスピーカから音声出力される。
【００１２】
ここで、例えば、リモコンのエンターキーが長押しされた時に、前記電子ボリューム設定手段で設定された音量調整位置を示す音量情報が、音量情報記憶手段によりメモリに記憶される。前記音量情報がメモリに記憶された後、ユーザが二人以上あった場合、前記記憶された音量情報が誰のものであるかを識別するために、ユーザの個人情報を入力する必要があるので、ユーザの個人情報をリモコンの数字キーにより例えばコード番号が入力されると、この個人情報の入力が有ったことが個人情報入力判定手段により判定される。
【００１３】
当該個人情報が入力されたと判定された場合には、当該音量情報に対応させて当該個人情報が個人情報記憶手段によりメモリに記憶される。ユーザが一人しか居なく個人情報を入力する必要がない場合、またはユーザが二人以上居て個人情報がメモリに記憶された場合には、例えば、リモコンのエンターキーが２度押しされると、メモリに個人情報が有るか否かが個人情報有無判定手段により判定される。
【００１４】
個人情報が有ると判定された場合には、ユーザはリモコンの数字キーを操作して当該個人情報をシステムコントローラに入力すると、個人情報のキー入力が有ったと判定され、個人情報対応音量情報読出し手段により、メモリから当該個人情報に対応する音量情報が読み出される。一方、個人情報が無いと判定された場合には、音量情報読出し手段により、メモリから音量情報が読み出される。
【００１５】
ユーザが二人以上居て当該ユーザの個人情報に対応する音量情報がメモリから読み出された後、またはユーザが一人しか居なく音量情報がメモリから読み出された後、当該音量情報による音量にて音声出力ができるように、電子ボリュームの音量調整位置が、電子ボリューム設定制御手段により設定され、これにより、当該音量情報による音量にてスピーカから音声出力される。
【００１６】
この構成によれば、各ユーザが一度音量を調整した後は、再び音量調整を行う必要がないので、ホームシアターモデルなどの音量の性能測定において何度も同じ音量に調整したりすることがなくなり、これにより、音量を測定しながらボリュームツマミの調整、あるいはリモコンの音量調整キーの操作の手間を省け、また、通常使用においてもマスターとなる音量の調整は、ほぼ同じ設定を使うことが多く、ボリュームツマミの調整の簡素化、あるいはリモコンの音量調整キーの操作の簡素化を図れる。
【００１７】
請求項２の発明は、電子ボリュームによりゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、本体のボリュームツマミまたはリモコンの音量調整キーの操作に応答して、前記電子ボリュームの音量調整位置を設定する電子ボリューム設定手段と、予め定めたキーが特定操作された時に前記電子ボリューム設定手段で設定された音量調整位置を示す音量情報をメモリに記憶させる音量情報記憶手段と、前記予め定めたキーが前記特定操作以外の特定操作された時に前記メモリから音量情報を読み出す音量情報読出し手段と、前記音量情報による音量にて音声出力ができるように電子ボリュームの音量調整位置を設定制御する電子ボリューム設定制御手段とを有するシステムコントローラを備えたことを特徴とするオーディオ装置を提供する。
【００１８】
この構成において、電子ボリューム設定手段は、本体のボリュームツマミまたはリモコンの音量調整キーの操作に応答して、電子ボリュームの音量調整位置が電子ボリューム設定手段により設定され、その音量調整位置による設定音量でスピーカから音声出力される。そして、本体のボリュームツマミまたはリモコンの音量調整キーが操作されて好みの音量に調整されると、この調整された音量にてスピーカから音声出力される。
【００１９】
ここで、例えば、リモコンの予め定めたキーが特定操作された時に、前記電子ボリューム設定手段で設定された音量調整位置を示す音量情報が、音量情報記憶手段によりメモリに記憶される。そして、前記予め定めたキーが前記特定操作以外の特定操作された時に、前記メモリから音量情報が音量情報読出し手段により読み出される。この後、当該音量情報による音量にて音声出力ができるように、電子ボリュームの音量調整位置が、電子ボリューム設定制御手段により設定され、これにより、当該音量情報による音量にてスピーカから音声出力される。
【００２０】
この構成によれば、ユーザが一度音量を調整した後は、再び音量調整を行う必要がないので、ホームシアターモデルなどの音量の性能測定において何度も同じ音量に調整したりすることがなくなり、これにより、音量を測定しながらボリュームツマミの調整、あるいはリモコンの音量調整キーの操作の手間を省け、また、通常使用においてもマスターとなる音量の調整は、ほぼ同じ設定を使うことが多く、ボリュームツマミの調整の簡素化、あるいはリモコンの音量調整キーの操作の簡素化を図れる。
【００２１】
請求項３の発明では、請求項２の発明において、前記予め定めたキーの特定操作とは、予め定めた本体キーまたはリモコンキーを長押しする操作であり、前記予め定めたキーの特定操作以外の特定操作とは、予め定めた本体キーまたはリモコンキーを所定回数押す操作であるので、ユーザの希望する音量の設定、および希望する音量で音声を出力する操作を簡単化することができる。
【００２２】
請求項４の発明では、請求項２の発明において、前記システムコントローラは、前記音量情報が前記メモリに記憶された後、ユーザの個人情報が入力されたか否かを判定する個人情報入力判定手段と、前記個人情報が入力されたと判定された場合には、前記音量情報に対応させて前記個人情報を前記メモリに記憶させる個人情報記憶手段と、前記予め定めた本体キーまたはリモコンキーが所定回数押された時に、前記メモリに個人情報が有るか否かを判定する個人情報有無判定手段と、前記個人情報が有ると判定された場合に当該ユーザによる個人情報のキー入力操作が有った時、前記メモリから個人情報に対応する音量情報を読み出す個人情報対応音量情報読出し手段と、前記予め定めたキーが前記特定操作以外の特定操作された時に前記メモリから音量情報を読み出す音量情報読出し手段に代わり、前記個人情報が無いと判定された場合に前記メモリから音量情報を読み出す音量情報読出し手段とを有する。
【００２３】
したがって、前記システムコントローラは、ユーザの個人情報に対応させて音量情報をメモリに記憶し、ユーザの個人情報に対応した音量情報をメモリから読み出して、音量設定することができるので、各ユーザが希望する音量で音声出力することが可能になる。
【発明の効果】
【００２４】
以上のように本発明によれば、電子ボリュームによりゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、本体のボリュームツマミまたはリモコンの音量調整キーの操作に応答して、前記電子ボリュームの音量調整位置を設定する電子ボリューム設定手段と、予め定めた本体キーまたはリモコンキーが長押しされた時に前記電子ボリューム設定手段で設定された音量調整位置を示す音量情報をメモリに記憶させる音量情報記憶手段と、前記音量情報が前記メモリに記憶された後、ユーザの個人情報が入力されたか否かを判定する個人情報入力判定手段と、前記個人情報が入力されたと判定された場合には、前記音量情報に対応させて前記個人情報を前記メモリに記憶させる個人情報記憶手段と、前記予め定めた本体キーまたはリモコンキーが所定回数押された時に前記メモリに個人情報が有るか否かを判定する個人情報有無判定手段と、前記個人情報が有ると判定された場合に当該ユーザによる個人情報のキー入力操作が有った時、前記メモリから個人情報に対応する音量情報を読み出す個人情報対応音量情報読出し手段と、前記個人情報が無いと判定された場合に前記メモリから音量情報を読み出す音量情報読出し手段と、前記音量情報による音量にて音声出力ができるように電子ボリュームの音量調整位置を設定制御する電子ボリューム設定制御手段とを有するシステムコントローラを備えたので、各ユーザが一度音量を調整した後は、再び音量調整を行う必要がなく、これにより、ホームシアターモデルなどの音量の性能測定において何度も同じ音量に調整したりすることがなくなり、したがって、音量を測定しながらボリュームツマミの調整、あるいはリモコンの音量調整キーの操作の手間を省け、また、通常使用においてもマスターとなる音量の調整は、ほぼ同じ設定を使うことが多く、ボリュームツマミの調整の簡素化、あるいはリモコンの音量調整キーの操作の簡素化を図れる。
【００２５】
また、本発明によれば、電子ボリュームによりゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、本体のボリュームツマミまたはリモコンの音量調整キーの操作に応答して、前記電子ボリュームの音量調整位置を設定する電子ボリューム設定手段と、予め定めたキーが特定操作された時に前記電子ボリューム設定手段で設定された音量調整位置を示す音量情報をメモリに記憶させる音量情報記憶手段と、前記予め定めたキーが前記特定操作以外の特定操作された時に前記メモリから音量情報を読み出す音量情報読出し手段と、前記音量情報による音量にて音声出力ができるように電子ボリュームの音量調整位置を設定制御する電子ボリューム設定制御手段とを有するシステムコントローラを備えたので、ユーザが一度音量を調整した後は、再び音量調整を行う必要がなく、これにより、ホームシアターモデルなどの音量の性能測定において何度も同じ音量に調整したりすることがなくなり、したがって、音量を測定しながらボリュームツマミの調整、あるいはリモコンの音量調整キーの操作の手間を省け、また、通常使用においてもマスターとなる音量の調整は、ほぼ同じ設定を使うことが多く、ボリュームツマミの調整の簡素化、あるいはリモコンの音量調整キーの操作の簡素化を図れる。
【発明を実施するための最良の形態】
【００２６】
以下、添付図面を参照しつつ、本発明の実施の形態について説明する。図１は本発明の一実施形態に係るオーディオ装置の構成を示すブロック図である。
【００２７】
このオーディオ装置Ａは、テレビ受信機からのＴＶ音声信号、ＦＭラジオからのＦＭ音声信号、光ディスク再生装置や光ディスク記録再生装置からのディスク再生音声信号、磁気テープ記録再生装置からのテープ再生音声信号などを入力して、これらのうちの何れかを選択出力する音声入力切換回路１と、この音声入力切換回路１で選択された音声信号を所定の処理により増幅するプリアンプ２と、このプリアンプ２からの音声信号を電力増幅してスピーカ９，１０に供給するメインアンプ３と、装置の動作状態や操作内容などを表示する表示部４と、装置の各構成要素を制御するシステムコントローラ５と、このシステムコントローラ５の動作に必要な情報を記憶するメモリ６と、リモコン１１からの赤外線操作信号を受光して電気信号に変換して操作信号をシステムコントローラ５に与える受光部７と、システムコントローラ５に対して各種操作信号を与える複数の操作キーや電子ボリューム２２のボリュームツマミ２２ａ（図２参照）などが設けられた操作パネル８とを備えている。
【００２８】
プリアンプ２は、音声入力切換回路１から出力された音声信号の周波数特性を補正するイコライザ回路２１と、スピーカ９，１０から出力される音声の音量を調整するための電子ボリューム２２と、この電子ボリューム２２で調整された音量を示す音声信号に対して音質の調整を行う音質調整回路２３と、この音質調整回路２３で調整された音声信号を増幅してメインアンプ３に供給する増幅回路２４とから構成されている。
【００２９】
図２は本実施形態におけるオーディオ装置の操作パネルの一例を示す概略正面図である。図２において、操作パネル８には、プリアンプ２に含まれるイコライザ回路２１（図１参照）の周波数特性を変化させるための例えば５個のイコライザ調整ツマミ２１ａ、装置の動作状態や操作内容などを表示する表示部４、リモコン１１（図１参照）からの赤外線操作信号を受光する受光部７、プリアンプ２に含まれる電子ボリューム２２のボリュームツマミ２２ａなどが設けられている。
【００３０】
図３は本実施形態におけるオーディオ装置に対して操作を行うための赤外線操作信号を出力するリモコンの操作キーの配置の一例を示すキー配置図である。図３において、リモコン１１は、電源キーＰ、音量調整キー２２ｂ、複数の数字キーＮ、上方向キーａ、下方向キーｂ、左方向キーｃ、右方向キーｄ、エンターキー（決定キー）ｅ、その他複数の操作キーを有する。
【００３１】
図４は本実施形態におけるオーディオ装置の音量設定処理を説明するためのフローチャートである。このフローチャートおよび図１〜図３を参照してオーディオ装置の音量設定処理について説明する。
【００３２】
ここの説明では、オーディオ装置Ａに、例えばＤＶＤ（デジタル・バーサタイル・ディスク）に記録された映像音声データを再生するＤＶＤプレイヤが接続され、リモコン１１の操作によりＤＶＤモードに設定されていると仮定する。このＤＶＤプレイヤにより再生された映像音声データのうち音声データは所定処理されてアナログの音声信号に変換され、ディスク再生音声信号として、オーディオ装置Ａの音声入力切換回路１に入力される。
【００３３】
音声入力切換回路１は、リモコン１１の操作によりＤＶＤモードに設定されているので、ディスク再生音声信号（以下単に音声信号と言う）を選択してプリアンプ２のイコライザ回路２１に入力する。イコライザ回路２１に入力された音声信号は、周波数特性がイコライザ調整ツマミ２１ａの設定位置に応じて補正され、電子ボリューム２２に入力される。
【００３４】
電子ボリューム２２に入力された音声信号は、ボリュームツマミ２２ａにより設定された音量に対応するレベルの音声信号、またはリモコン１１の音量調整キー２２ｂにより設定された音量に対応するレベルの音声信号となり、音質調整回路２３で音質調整され、更に増幅回路２４に入力されて増幅される。増幅回路２４から出力された音声信号は、メインアンプ３に供給され、電力増幅されて、スピーカ９，１０に供給され、音声化される。
【００３５】
即ち、システムコントローラ５の電子ボリューム設定手段は、本体のボリュームツマミ２２ａまたはリモコン１１の音量調整キー２２ｂの操作に応答して、電子ボリューム２２の音量調整位置がシステムコントローラ５の電子ボリューム設定手段により設定され、その音量調整位置による設定音量でスピーカ９，１０から音声出力される（ステップＳ１）。そして、本体のボリュームツマミ２２ａまたはリモコン１１の音量調整キー２２ｂが操作されて好みの音量に調整されると（ステップＳ２）、この調整された音量にてスピーカ９，１０から音声出力される（ステップＳ３）。
【００３６】
ここで、例えば、リモコン１１のエンターキーｅが長押しされた時に（ステップＳ４）、前記電子ボリューム設定手段で設定された音量調整位置を示す音量情報が、システムコントローラ５の音量情報記憶手段によりメモリ６に記憶される（ステップＳ５）。前記音量情報がメモリ６に記憶された後、ユーザが二人以上あった場合、前記記憶された音量情報が誰のものであるかを識別するために、ユーザの個人情報を入力する必要があるので、ユーザの個人情報をリモコン１１の数字キーにより例えばコード番号が入力されると、この個人情報の入力が有ったことがシステムコントローラ５の個人情報入力判定手段により判定される（ステップＳ６）。
【００３７】
当該個人情報が入力されたと判定された場合には、当該音量情報に対応させて当該個人情報が、システムコントローラ５の個人情報記憶手段によりメモリ６に記憶させる（ステップＳ７）。ユーザが一人しか居なく個人情報を入力する必要がない場合、またはユーザが二人以上居て個人情報がメモリ６に記憶された場合には、例えば、リモコン１１のエンターキーｅが２度押しされると（ステップＳ８）、メモリ６に個人情報が有るか否かがシステムコントローラ５の個人情報有無判定手段により判定される（ステップＳ９）。
【００３８】
個人情報が有ると判定された場合には、ユーザはリモコン１１の数字キーを操作して当該個人情報をシステムコントローラ５に入力すると、個人情報のキー入力が有ったと判定され（ステップＳ１０）、個人情報対応音量情報読出し手段により、メモリ６から当該個人情報に対応する音量情報が読み出される（ステップＳ１１）。一方、個人情報が無いと判定された場合には、音量情報読出し手段により、メモリ６から音量情報が読み出される（ステップＳ１２）。
【００３９】
ユーザが二人以上居て当該ユーザの個人情報に対応する音量情報がメモリ６から読み出された後、またはユーザが一人しか居なく音量情報がメモリ６から読み出された後、当該音量情報による音量にて音声出力ができるように、電子ボリューム２２の音量調整位置が、システムコントローラ５の電子ボリューム設定制御手段により設定され、これにより、当該音量情報による音量にてスピーカ９，１０から音声出力される（ステップＳ１３）。
【００４０】
以上説明したように本実施形態によれば、各ユーザが一度音量を調整した後は、再び音量調整を行う必要がなく、これにより、ホームシアターモデルなどの音量の性能測定において何度も同じ音量に調整したりすることがなくなり、したがって、音量を測定しながらボリュームツマミの調整、あるいはリモコンの音量調整キーの操作の手間を省け、また、通常使用においてもマスターとなる音量の調整は、ほぼ同じ設定を使うことが多く、ボリュームツマミの調整の簡素化、あるいはリモコンの音量調整キーの操作の簡素化を図れる。
【００４１】
なお、上記実施形態では、音量情報をメモリに記憶させるのに、リモコンのエンターキーを長押し、また、メモリから音量情報を読み出して、その音量にて音声出力させるのに、エンターキーを２度押ししたが、これらはエンターキーに限らず、長押しや２度押し（３度押し以上でも良い）してもキー本来の動作に影響を与えないキーであれば何れでも良い。
【図面の簡単な説明】
【００４２】
【図１】本発明の一実施形態に係るオーディオ装置の構成を示すブロック図である。
【図２】前記実施形態におけるオーディオ装置の操作パネルの一例を示す概略正面図である。
【図３】前記実施形態におけるオーディオ装置に対して操作を行うための赤外線操作信号を出力するリモコンの操作キーの配置の一例を示すキー配置図である。
【図４】前記実施形態におけるオーディオ装置の音量設定処理を説明するためのフローチャートである。
【符号の説明】
【００４３】
Ａ    オーディオ装置
２    プリアンプ
３    メインアンプ
５    システムコントローラ（電子ボリューム設定手段、音量情報記憶手段、個人情報入力判定手段、個人情報記憶手段、個人情報有無判定手段、個人情報対応音量情報読出し手段、音声情報読出し手段、電子ボリューム設定制御手段）
６    メモリ
９，１０    スピーカ
１１    リモコン
２２    電子ボリューム
２２ａ    ボリュームツマミ
２２ｂ    音量調整キー
【図１】
2007110280.tif 000003
【図２】
2007110280.tif 000004
【図３】
2007110280.tif 000005
【図４】
2007110280.tif 000006